(57)【要約】【課題】筋付け位置と折り処理位置の調整、さらには所定の位置に対する両者の調整を少ない操作で簡単に行うことができるようにする。【解決手段】用紙に対して折り処理を行う中折り機構Ｄと、中折りを行う位置に筋を付ける筋付け機構Ｃと、を有する画像形成システムにおいて、筋を付ける位置を変更する第１搬送手段１と、折り位置を変更する後端フェンス１１と、筋付け位置の変更量と折り位置の変更量を入力する操作パネル２０（１５）と、を備え、操作パネルから前記変更量を入力し、折り位置を変更したとき、折り位置の変更に合わせて筋付け位置も変更する。【選択図】図１
2012012220.tif 000002
【特許請求の範囲】
【請求項１】
用紙に対して折り処理を行う折り手段と、
前記用紙の折り処理を行う位置に折り処理前に筋を付ける筋付け手段と、
を有する画像形成システムにおいて、
前記筋を付ける位置を変更する筋付け位置変更手段と、
前記折り位置を変更する折り位置変更手段と、
前記筋付け位置の変更量を入力する筋付け位置変更量入力手段と、
前記折り位置の変更量を入力する折り位置変更量入力手段と、
を備え、
前記折り位置変更量入力手段によって折り位置を変更したとき、折り位置の変更に合わせて筋付け位置も変更することを特徴とする画像形成システム。
【請求項２】
請求項１記載の画像形成システムにおいて、
前記折り位置変更量入力手段によって折り位置を変更したとき、折り位置の変更に合わせて筋付け位置も変更する第１のモードに加え、
前記折り位置変更量入力手段によって折り位置を変更したとき、折り位置の変更のみを行う第２のモードを備えていること
を特徴とする画像形成システム。
【請求項３】
請求項２記載の画像形成システムにおいて、
前記折り位置変更量入力手段によって折り位置を変更したとき、前記第１のモードとするか前記第２のモードとするかを選択する選択手段を備えていること
を特徴とする画像形成システム。
【請求項４】
請求項１記載の画像形成システムにおいて、
前記筋付け位置変更手段により筋付け位置を変更したときには、筋付け位置の変更のみを行うこと
を特徴とする画像形成システム。
【請求項５】
請求項１ないし４のいずれか１項に記載の画像形成システムにおいて、
前記筋付け位置変更量入力手段及び前記折り位置変更量入力手段は、システムの操作部の操作画面に設定されること
を特徴とする画像形成システム。
【請求項６】
請求項３記載の画像形成システムにおいて、
前記選択手段はシステムの操作部の操作画面に設定され、設定画面からの選択動作によりいずれかのモードが選択されることを特徴とする画像形成システム。
【請求項７】
請求項５又は６記載の画像形成システムにおいて、
前記システムの操作部の操作画面が画像形成装置の操作パネルであること
を特徴とする画像形成システム。
【請求項８】
請求項５又は６記載の画像形成システムにおいて、
前記システムの操作部が折り手段を備えた折り装置の操作パネルであること
を特徴とする画像形成システム。
【請求項９】
請求項５又は６記載の画像形成システムにおいて、
情報通信手段を有し、前記筋付け位置変更量入力手段及び前記折り位置変更量入力手段は、前記情報通信手段による情報受信であること
を特徴とする画像形成システム。
【請求項１０】
用紙に対して折り処理を行う折り手段と、
前記用紙の折り処理を行う位置に折り処理前に筋を付ける筋付け手段と、
を有する用紙処理装置において、
前記筋を付ける位置を変更する筋付け位置変更手段と、
前記折り位置を変更する折り位置変更手段と、
前記筋付け位置の変更量を入力する筋付け位置変更量入力手段と、
前記折り位置の変更量を入力する折り位置変更量入力手段と、
を備え、
前記折り位置変更量入力手段によって折り位置を変更したとき、折り位置の変更に合わせて筋付け位置も変更することを特徴とする用紙処理装置。
【請求項１１】
請求項１０記載の用紙処理装置において、
前記筋付け位置変更量入力手段及び前記折り位置変更量入力手段は、装置の操作部の操作画面に設定されること
を特徴とする用紙処理装置。
【請求項１２】
用紙に対して折り処理を行う折り手段と、
前記用紙の折り処理を行う位置に折り処理前に筋を付ける筋付け手段と、
を備えた用紙処理装置における折り処理方法において、
折り位置を変更したときは折り位置の変更に合わせて筋付け位置も変更し、
筋付け位置を変更したときは筋付け位置のみ変更すること
を特徴とする折り処理方法。
【発明の詳細な説明】
【技術分野】
【０００１】
本発明は、前段から搬送されてくるシート状部材（以下、用紙と称する。）などの用紙束を折る前に用紙に折り筋を付ける、あるいは筋付け（以下、クリースとも称する。）を行う筋付け装置と画像形成装置とを含む画像形成システム、筋付け装置を含む用紙処理装置、及び筋付け装置で実行される折り処理方法に関する。
【背景技術】
【０００２】
従来から、画像形成装置から排出された複数の用紙を束状にまとめた用紙束に中綴じを行い、中綴じした用紙束を中央部で２つ折りにする、所謂中折りあるいは中折り製本が行われている。このように複数枚からなる用紙束をまとめて折ると、用紙束の外側は内側の用紙と比べて折り部の用紙の伸び量が大きくなる。そのため、外側の用紙の折り部では形成された画像部が伸びることにより、トナー剥がれ等、画像部にダメージが生じることがある。同様の現象はＺ折り、３つ折り等、その他の折り処理でも発生する。また、用紙束の厚さによって折りが不十分であることがある。
【０００３】
そのため、用紙束を２つ折りする等の折り処理を行う前に、用紙の折り部に予め筋（折り筋）を付けておき、外側の用紙も折れやすくすることでトナー剥がれを防止するクリーサーと呼ばれる筋付け装置が既に知られている。このような筋付け装置では、ローラを走行させ、レーザーで焼き、あるいは筋入れ刃で押圧する等の方法によりを搬送方向と直角な方向に筋を付けている。
【０００４】
このような筋付け装置の一例として例えば特許文献１（特開２００８−８１２５８号公報）に開示された発明が公知である。この文献には、用紙の種類に応じて加工形状が良好で高精度の折り型を形成する目的で、折り型を形成するローラを用紙に合わせて最適なローラに取替え可能な構成とした発明が開示されている。
【発明の概要】
【発明が解決しようとする課題】
【０００５】
ところで、折り筋はその後に実行される折り処理の折り処理位置と一致していないと意味がない。そこで、クリース（筋付け）処理位置と折り処理位置を一致させる必要がある。さもないと、折り目と折り筋が合わず、二重の筋が入ったり、折り目側でない側の用紙端部が合わないという状態も発生しうる。また、これとは別に用紙に対する所望の位置に、クリース処理及び折り処理を行う場合もある。すなわち、２つ折りや中折り（中綴じ）であれば、折り位置と綴じ位置を用紙の長手方法の中心位置に一致させる必要がある。
【０００６】
図３２及び図３３は、折り位置、クリース（筋付け）位置、及び狙いの位置（折りが施されるべき位置）がずれたときの状態を示す説明図である。図３２に示すように１枚の用紙Ｐに対して狙いの位置（用紙搬送方向の中心の位置）Ｆ１で折りたい場合に、クリース位置がＦ２、実際の折り位置がＦ３であった場合、折り位置Ｆ３で折り込むと、図３３のようにクリース位置Ｆ２がずれ、さらに用紙の図３２において左側の端部ＦＬと右側の端部ＦＲの重ね位置にずれ、折りずれＦＸが生じる。
【０００７】
このようにずれてしまうと、クリースを行う意味もなく、また、クリースによって必要のない折り筋が残る状態になる。そのため、クリース処理に行う場合には、
１）クリース処理位置と、折り処理位置を一致させる。
【０００８】
２）用紙の所定の位置にクリース処理と折り処理が行われるようにする。
【０００９】
という必要がある。
【００１０】
一方、一般的に用紙に対する後処理は処理位置のずれが発生するため、用紙位置を調整する必要がある。その際、前記１）及び２）の調整を行うには、クリース処理位置の調整手段と、折り処理位置の調整手段がそれぞれ必要となるが、前記１）の処理で両者を一致させている場合に、さらに、２）の処理でクリース処理位置の調整と、折り処置位置の調整を各々行うのは作業上煩わしく、効率も悪い。
【００１１】
そこで、本発明が解決しようとする課題は、筋付け位置と折り処理位置の調整、さらには所定の位置に対する両者の調整を少ない操作で簡単に行うことができるようにすることにある。
【課題を解決するための手段】
【００１２】
前記課題を解決するため、第１の手段は、用紙に対して折り処理を行う折り手段と、前記用紙の折り処理を行う位置に折り処理前に筋を付ける筋付け手段と、を有する画像形成システムにおいて、前記筋を付ける位置を変更する筋付け位置変更手段と、前記折り位置を変更する折り位置変更手段と、前記筋付け位置の変更量を入力する筋付け位置変更量入力手段と、前記折り位置の変更量を入力する折り位置変更量入力手段と、を備え、前記折り位置変更量入力手段によって折り位置を変更したとき、折り位置の変更に合わせて筋付け位置も変更することを特徴とする。
【００１３】
第２の手段は、第１の手段において、前記折り位置変更量入力手段によって折り位置を変更したとき、折り位置の変更に合わせて筋付け位置も変更する第１のモードに加え、前記折り位置変更量入力手段によって折り位置を変更したとき、折り位置の変更のみを行う第２のモードを備えていることを特徴とする。
【００１４】
第３の手段は、第１の手段において、前記折り位置変更量入力手段によって折り位置を変更したとき、前記第１のモードとするか前記第２のモードとするかを選択する選択手段を備えていることを特徴とする。
【００１５】
第４の手段は、第１の手段において、前記筋付け位置変更手段により筋付け位置を変更したときには、筋付け位置の変更のみを行うことを特徴とする。
【００１６】
第５の手段は、第１ないし第４のいずれかの手段において、前記筋付け位置変更量入力手段及び前記折り位置変更量入力手段は、システムの操作部の操作画面に設定されることを特徴とする。
【００１７】
第６の手段は、第３の手段において、前記選択手段はシステムの操作部の操作画面に設定され、設定画面からの選択動作によりいずれかのモードが選択されることを特徴とする。
【００１８】
第７の手段は、第５又は第６の手段において、前記システムの操作部の操作画面が画像形成装置の操作パネルであることを特徴とする。
【００１９】
第８の手段は、第５又は第６のいずれかの手段において、前記システムの操作部が折り手段を備えた折り装置の操作パネルであることを特徴とする。
【００２０】
第９の手段は、第５又は第６のいずれかの手段において、情報通信手段を有し、前記筋付け位置変更量入力手段及び前記折り位置変更量入力手段は、前記情報通信手段による情報受信であることを特徴とする。
【００２１】
第１０の手段は、用紙に対して折り処理を行う折り手段と、前記用紙の折り処理を行う位置に折り処理前に筋を付ける筋付け手段と、有する用紙処理装置において、前記筋を付ける位置を変更する筋付け位置変更手段と、前記折り位置を変更する折り位置変更手段と、前記筋付け位置の変更量を入力する筋付け位置変更量入力手段と、前記折り位置の変更量を入力する折り位置変更量入力手段と、を備え、前記折り位置変更量入力手段によって折り位置を変更したとき、折り位置の変更に合わせて筋付け位置も変更することを特徴とする。
【００２２】
第１１の手段は、第１０の手段において、前記筋付け位置変更量入力手段及び前記折り位置変更量入力手段は、装置の操作部の操作画面に設定されることを特徴とする。
【００２３】
第１２の手段は、用紙に対して折り処理を行う折り手段と、前記用紙の折り処理を行う位置に折り処理前に筋を付ける筋付け手段と、を備えた用紙処理装置における折り処理方法において、折り位置を変更したときは折り位置の変更に合わせて筋付け位置も変更し、筋付け位置を変更したときは筋付け位置のみ変更することを特徴とする。
【００２４】
なお、後述の実施形態では、折り手段は中折り機構Ｄに、筋付け手段は筋付け機構Ｃに、筋付け位置変更手段は搬送ローラ１に、折り位置変更手段は後端フェンス１１に、筋付け位置変更量入力手段及び折り位置変更量入力手段はＣＰＵ＿Ａ１及び操作パネル２０に、選択手段は操作パネル１５，２０に、システムの操作部は操作パネル１５又は２０に、情報通信手段は通信インターフェイス＿Ａ３及びＡ４に、操作画面は操作パネル１５，２０のクリース位置調整画面３０、折り位置調整画面４０及び選択画面５０に、画像形成システムは画像形成装置ＰＲ、筋付け装置Ａ、及び折り処理装置Ｂからなるシステムに、用紙処理装置は筋付け装置Ａ及び折り処理装置Ｂを含むシステムに、それぞれ対応する。
【発明の効果】
【００２５】
本発明によれば、折り位置変更量入力手段によって折り位置を変更したとき、折り位置の変更に合わせて筋付け位置も変更するので、筋付け位置と折り処理位置の調整、さらには所定の位置に対する両者の調整を折り処理位置の調整だけで行うことができる。
【図面の簡単な説明】
【００２６】
【図１】本発明の実施形態における画像形成システムの概略構成を示す図である。
【図２】折り処理を伴う画像形成システムの一連の動作を示す説明図で、用紙が筋付け装置に搬入されたときの状態を示す。
【図３】折り処理を伴う画像形成システムの一連の動作を示す説明図で、用紙先端が下流側の搬送ローラの直前まで搬送されてきたときの状態を示す。
【図４】折り処理を伴う画像形成システムの一連の動作を示す説明図で、筋付け処理が実行されているときの状態を示す。
【図５】折り処理を伴う画像形成システムの一連の動作を示す説明図で、筋を付けられた用紙が折り処理装置に搬入され、２枚目の用紙が筋付け装置に搬入されているときの状態を示す。
【図６】折り処理を伴う画像形成システムの一連の動作を示す説明図で、２枚目の用紙が筋付け位置で停止し、筋付け処理が行われているときの状態を示す。
【図７】折り処理を伴う画像形成システムの一連の動作を示す説明図で、３枚目の用紙に筋付け処理が行われているときの状態を示す。
【図８】折り処理を伴う画像形成システムの一連の動作を示す説明図で、最終枚目の用紙が中折り処理トレイに集積されたときの状態を示す。
【図９】折り処理を伴う画像形成システムの一連の動作を示す説明図で、図８の状態から用紙束が中折り位置に移動したときの状態を示す。
【図１０】折り処理を伴う画像形成システムの一連の動作を示す説明図で、図９の状態から中折り処理が実行されているときの状態を示す。
【図１１】折り処理を伴う画像形成システムの一連の動作を示す説明図で、折りローラにより中折りが行われながら排紙される状態を示す。
【図１２】折り処理を伴う画像形成システムの一連の動作を示す説明図で、中折りされた用紙束が積載トレイに排紙されたときの状態を示す。
【図１３】筋付け機構の概略構成を示す図で、筋付け刃が最も上昇した位置で、用紙の受け入れ位置にある状態を示す図である。
【図１４】筋付け機構の概略構成を示す図で、筋付け刃が最も下降した位置で、用紙への筋付け位置にある状態を示す図である。
【図１５】図１３の状態を用紙搬送方向と直交する方向から見た概略図である。
【図１６】筋を付ける際の筋付け刃の動作を用紙搬送方向と直交する方向から見た動作説明図で、回転体が切欠き部から離間した状態を示す。
【図１７】筋を付ける際の筋付け刃の動作を用紙搬送方向と直交する方向から見た動作説明図で、回転体が切欠き部まで下降し、用紙ガイドとして機能している状態を示す。
【図１８】筋を付ける際の筋付け刃の動作を用紙搬送方向と直交する方向から見た動作説明図で、退避した状態から筋付け刃を用紙に向けて筋付け処理を行う直前の状態を示す。
【図１９】筋を付ける際の筋付け刃の動作を用紙搬送方向と直交する方向から見た動作説明図で、筋付け刃が下降して用紙に筋を付けるときの状態を示す。
【図２０】筋付け装置、折り処理装置、及び画像形成装置からなる画像形成システムの制御構成を示すブロック図である。
【図２１】筋付け装置で筋付け処理を行う場合の処理手順を示すフローチャートである。
【図２２】筋付け装置で筋付け処理を行わない場合の制御手順を示すフローチャートである。
【図２３】操作パネルのクリース位置調整画面を示す図である。
【図２４】操作パネルの折り位置調整画面を示す図である。
【図２５】折り位置調整を行ったときの用紙の折り位置と筋付け位置の関係を示す図である。
【図２６】図２５の状態で用紙を折ったときの状態を示す図である。
【図２７】折り位置とクリース位置は一致しているが、狙いの位置から外れている場合の用紙を折り込む前の状態を示す図である。
【図２８】図２７のずれ状態から用紙を折り込んだ状態を示す図である。
【図２９】折り位置の調整を行い、折り位置と狙いの位置が一致したときの用紙状態を示す図である。
【図３０】図２９の状態から用紙を折り込んだ状態を示す図である。
【図３１】折り位置調整時に筋付け位置の変更を同期して行うか否かの選択画面を示す図である。
【図３２】折り位置、筋付け位置、及び狙いの位置がずれたときの状態を示す説明図で、折る前の用紙のおける前記各位置を示す説明図である。
【図３３】図３２の状態で狙いの位置で折ったときの状態を示す図である。
【発明を実施するための形態】
【００２７】
本発明は、折り位置の調整手段に同期して、折り位置の調整と筋付け（クリース）位置の調整を同時に行えるようにすることにより、筋付け（クリース）処理位置と、折り処理位置の調整を少ない操作で簡単に行うことができるようにしたことを特徴とするものである。
【００２８】
以下、本発明の実施形態について、図面を参照しながら説明する。
【００２９】
図１は本発明の実施形態における画像形成システムの概略構成を示す図である。本画像形成システムは、用紙に画像を形成する画像形成装置ＰＲ、筋付けを付ける筋付け装置Ａ、及び折り処理（後処理）を行う折り処理装置Ｂから基本的に構成されている。
【００３０】
筋付け装置Ａは第１及び第２の搬送手段１，２と筋付け機構Ｃを備え、筋付け機構Ｃは筋付け部材６及び受け台７から構成され、筋付け部材６と受け台７で用紙を挟み込むことにより筋を付ける。筋装置Ａで筋が付けられた後、用紙は下流の折り処理装置Ｂへ送られる。折り処理装置Ｂは第３ないし第５の搬送手段３，４，５、中折り機構Ｄ、及び積載トレイ１２を備えている。なお、搬送手段は、本実施形態では搬送ローラによって構成されている。
【００３１】
画像形成装置ＰＲはスキャナ、ＰＣなどから入力された画像データを用紙上に可視像として顕像化して出力するもので、電子写真方式、液滴吐出方式などの公知の作像エンジンが使用される。
【００３２】
筋付け装置Ａは搬送機構と筋付け機構Ｃからなり、筋付け機構Ｃは前述のように筋付け部材６及び受け台７を備え、筋付け部材６と受け台７で用紙を挟み込むことにより直線状の筋が付けられる。筋付け部材６の受け台７に対向する端面には筋を付けるための刃（クリース刃−凸刃：後述の筋付け刃Ｃ１０に対応）が用紙搬送方向の直交する方向に直線状に設けられている。クリース刃は先端が尖った刃形状に形成されている。一方、受け台７の前記クリース刃と対向する面にはクリース刃の先端縁が嵌り込むような筋付け溝（凹刃）が切溝されている。このような形状に両者が形成されていることから、用紙を挟み込んだときに、先端形状（凸刃）と溝形状（凹刃）による筋が形成される。
【００３３】
折り処理装置Ｂは、折り処理を行う中折り機構Ｄを備え、筋付け装置Ａによって筋が付けられた用紙が搬入され、当該用紙が搬送機構の第１ないし第３の搬送手段３，４，５によって中折り機構Ｄに導かれる。
【００３４】
中折り機構Ｄは中折り処理トレイ１０、中折り処理トレイ１０の下端（搬送方向最上流側）に設けられた後端フェンス１１、筋に沿って折り込む折りプレート８及び折りローラ対９、並びに積載トレイ１２を備えている。後端フェンス１１は用紙の搬送方向の整合を行うもので、図示しない戻しローラによって中折り処理トレイ１０に排紙された用紙の後端を強制的に後端フェンス１１に押し付け、用紙の位置を揃える。また、図示しないジョガーフェンスによって搬送方向に直交する方向の整合も行われる。
【００３５】
折りプレート８は整合された用紙束に対して自身の先端縁を前記筋に沿って押し当て、折りローラ対９のニップに押し込む。これにより、用紙束は折りローラ対９のニップに押し込まれ、当該ニップで筋が付けられる。中綴じ処理を伴う場合には、筋を付ける部分に図示しない綴じ装置によって綴じ処理を行った後、この折り処理、所謂２つ折りが実行される。２つ折りされた用紙束は積載トレイ１２に排紙され、積載される。
【００３６】
図２ないし図１２は、この折り処理を伴う画像形成システムの一連の動作を示す説明図である。この画像形成システムでは、画像形成装置ＰＲにおいて画像形成された用紙Ｐ１が筋付け装置Ａ内に搬送され、筋を付ける位置で停止する（図２、図３）。図４に示すように用紙Ｐ１の先端が第２の搬送手段２のニップに当接した位置で停止すると、筋付け部材６を下降させ、筋付け部材６と受け台７によって用紙Ｐ１を挟む。更に詳細には、クリース刃と凹刃によって用紙Ｐ１を所定圧で挟む。これにより用紙Ｐ１に筋が付けられる（図４）。
【００３７】
その後、筋が付けられた用紙Ｐ１は折り処理装置Ｂへ搬送され（図５）、中折り処理トレイ１０に一時収納される（図６）。上記の動作を所定枚数分繰り返し（図７）、所定枚数Ｐ１〜Ｐｎの用紙束が収納されたら（図８）、後端フェンス１１で用紙束を折り位置まで持ち上げて折り位置を合せ（図９）、折りプレート８を前進させて用紙に付けられている筋付け部分を押し、折りローラ対９のニップへ押し込んで折り処理を行い（図１０）、折り処理された用紙束を積載トレイ１２に排紙する（図１１、図１２）。この１冊の用紙束の作成工程が所定冊子数分繰り返され、用紙束は順次積載トレイ１２上に積載されていく。
【００３８】
本実施形態では、クリース位置の変更機能（位置調整）及び折り位置の変更機能（位置調整）を備え、両者によりクリース位置と折り位置を一致させるが、折り位置を変更する場合には、図９から分かるように、後端フェンス１１で用紙束を折り位置に合せ、折り処理を行うので、後端フェンス１１の移動量を変更することによって折り位置を変更することが可能となる。
【００３９】
また、折り処理装置として本実施形態では、中折り処理を行う折り処理装置を例示しているが、この他に、３つ折り、Ｚ折り、４つ折り、観音折りなどの複数の折り処理を行う公知の折り処理装置でも同様に適用することができる。
【００４０】
図１３及び図１４は筋付け機構の概略構成を示す図である。同図において、筋付け機構Ｃの筋付け部材６は回転体Ｃ９と筋付け刃Ｃ１０から構成され、回転体Ｃ９と筋付け刃Ｃ１０は一体となって駆動モータＣ５によって回転駆動される。また、回転体Ｃ９、筋付け刃Ｃ１０、駆動モータＣ５、及び摺動部材Ｃ７は一体となって弾性材Ｃ８によって上方に弾性付勢され、摺動部材Ｃ７の上面でカムＣ４と摺接している。カムＣ４は一対設けられ、駆動モータＣ１の駆動が減速伝達機構Ｃ２及び伝達機構Ｃ３によって伝達され、回転する。このカムＣ４は偏芯カムであり、両者が同期して回転することにより摺動部材Ｃ７と一体に筋付け刃Ｃ１０を上下方向に駆動する。
【００４１】
筋付け刃Ｃ１０と対向する位置には受け台Ｃ１１が設置され、筋付け刃Ｃ１０と受け台Ｃ１１との間で用紙を挟むことにより用紙に筋が付けられる。受け台Ｃ１１は受け台本体７上面の溝部を含む部分である。図１３は筋付け刃Ｃ７が最も上昇した位置が用紙の受け入れ位置に対応し、図１４は筋付け刃Ｃ７が最も下降した位置が用紙への筋付け位置に対応する。図１５は図１３の状態を用紙搬送方向と直交する方向から見た概略図である。なお、図４に示した筋付け動作時には第１の搬送手段１のニップに用紙が保持されているが、筋付け刃Ｃ１０の下降に伴って用紙に前進方向の力が加わると、第１の搬送手段１の軸部に設けられた図示しない一方向クラッチの作用により用紙の前進方向の移動を許容するようになっている。
【００４２】
図１６ないし図１９は筋を付ける際の筋付け刃の動作を用紙搬送方向と直交する方向から見た動作説明図である。一般に用紙の搬送は、ガイド部材Ｇ１，Ｇ２で用紙を挟んでガイドし、搬送手段で搬送力を与えることによって行っている。その際、筋付け刃Ｃ１０と受け台Ｃ１１とで用紙を挟んで筋を付けるために、図１６に示すように、ガイド部材Ｇ１，Ｇ２には筋付け刃Ｃ１０が通過する空間（切欠き部）Ｇ２ａが必要となる。なお、ガイド部材Ｇ１，Ｇ２はガイド板とも称され、２枚のガイド板の間に搬送路が形成され、この搬送路に沿って用紙は搬送される。
【００４３】
しかし、用紙搬送方向下流側に位置する上側のガイド部材Ｇ２の前記切欠き部Ｇ２ａ側の端部Ｇ２ｂは搬送されてくる用紙Ｐの先端と対向することになり、搬送されてくる用紙先端Ｐａが引っかかる場合ある。そこで、本実施形態では図１７に示すように、用紙先端Ｐａが通過するまで回転体Ｃ９を図１６の位置から矢印Ｙ１方向に下降させ、回転体Ｃ９の一部でガイド部材Ｇ２の切欠き部Ｇ２ａを塞ぐ。そして、図１８に示すように用紙先端Ｐａが切欠き部Ｇ２ａを通過した後に回転体Ｃ９と筋付け刃Ｃ１０を共に一旦上方に退避させ（矢印Ｙ２方向）、さらに回転させて（矢印Ｒ１方向）筋付け刃Ｃ１０を用紙に向ける。次いで、図１９に示すように用紙Ｐが所定の位置（筋付け位置）に来たところで筋付け刃Ｃ１０が下方を向いた状態で回転体Ｃ９を下降させ（矢印Ｙ３方向）、筋付け刃Ｃ１０と受け台Ｃ１１で用紙Ｐを挟んで筋を付ける。
【００４４】
なお、図１６ないし図１９において、符号Ｓ１は搬送路上で用紙Ｐの先端位置を検知するための入口センサであり、筋付け装置Ａに搬入されてきた用紙先端を検知し、その後の制御に当該検知タイミングが必要になることから、上流側の搬送手段（搬送ローラ対）１と装置入口との間に設けられている。
【００４５】
図２０は筋付け装置Ａ、折り処理を行う折り処理装置Ｂ、及び画像形成装置ＰＲからなる画像形成システムの制御構成を示すブロック図である。筋付け装置ＡはＣＰＵ＿Ａ１、Ｉ／Ｏインターフェイス＿Ａ２等を有するマイクロコンピュータを搭載した制御回路を備え、ＣＰＵ＿Ａ１には、画像形成装置ＰＲのＣＰＵあるいは操作パネルの各スイッチ等、及び図示しない各センサからの信号が通信インターフェイス＿Ａ３を介して入力され、ＣＰＵ＿Ａ１は入力された信号に基づいて所定の制御を実行する。また、ＣＰＵ＿Ａ１は折り処理装置Ｂとも通信インターフェイス＿Ａ４を介して同様の信号を授受し、入力された信号に基づいて所定の制御を実行する。さらに、ＣＰＵ＿Ａ１には、ドライバ、モータドライバを介してソレノイド及びモータを駆動制御し、インターフェイスから装置内のセンサ情報を取得する。また、制御対象やセンサに応じてＩ／０インターフェイス＿Ａ２を介してモータドライバによってモータの駆動制御を行い、センサからセンサ情報を取得する。なお、前記制御は、図示しないＲＯＭに格納されたプログラムコードをＣＰＵ＿Ａ１が読み込んで図示しないＲＡＭに展開し、当該ＲＡＭをワークエリア及びデータバッファとして使用しながら前記プログラムコードで定義されたプログラムに基づいて実行される。
【００４６】
また、図２０における筋付け装置Ａの制御は画像形成装置ＰＲのＣＰＵからの指示あるいは情報に基づいて実行される。ユーザの操作指示は画像形成装置ＰＲの操作パネル２０から行われ、画像形成装置ＰＲと操作パネルは通信インターフェイス２１を介して相互に接続されている。これにより、画像形成装置ＰＲからは筋付け装置Ａ、及び折り処理装置Ｂへ操作パネル２０からの操作信号が送信され、また、各装置Ａ，Ｂの処理状態や機能が操作パネル２０を介してユーザ又は作業者に通知される。
【００４７】
図２１は図１６から図１９に示した動作を実行する制御手順を示すフローチャートであり、筋付け装置ＡのＣＰＵ＿Ａ１で実行される。
【００４８】
同図において、用紙受け入れ準備が完了すると（ステップＳ１０１）、回転体Ｃ９を図１６に示すホームポジション、すなわち、筋付け処理を行わない位置に退避させる（ステップＳ１０２）。この位置は、筋付け刃Ｃ１０が用紙側（ガイド部材Ｇ２側）に向いていない位置である。
【００４９】
次いで、カムＣ４を回転させ、回転体Ｃ９を図１６の状態から矢印Ｙ１方向に下降させる（ステップＳ１０３：図１７）。このとき、筋付け刃Ｃ１０、駆動モータＣ５及び摺動部材Ｃ７も前述のように一体に下降する。これにより、切欠き部Ｇ２ａが回転体Ｃ９でガードされる。
【００５０】
図１７の状態で用紙Ｐの先端が切欠き部Ｇ２ａを通過するのを待ち、用紙先端が通過した時点で（ステップＳ１０４−ＹＥＳ）、用紙先端がガイド部材Ｇ２の先端部Ｇ２ｂと干渉する虞がなくなるので、回転体Ｃ９を待機（退避）位置に移動させる（ステップＳ１０５）。この移動は、カム４の回転により筋付け刃Ｃ１０を含む回転体Ｃ９、駆動モータＣ５及び摺動部材Ｃ７一体として行われる。そして、用紙Ｐが筋付け処理位置に達すると、回転体Ｃ９を回転させ、筋付け刃Ｃ１０を筋付け位置に位置させ（ステップＳ１０６：図１８）、カムＣ４を回転させて筋付け刃Ｃ１０を含む回転体Ｃ９、駆動モータＣ５及び摺動部材Ｃ７を一体として下降させる（ステップＳ１０７：図１９）。
【００５１】
これにより筋が付けられるので、カムＣ４を駆動し、回転体Ｃ９を上昇させ、待機（退避）位置に移動させる（ステップＳ１０８）。これにより、筋付け刃Ｃ１０との干渉がなくなるので、用紙Ｐを搬出し、次用紙Ｐを受け入れることができる。
【００５２】
一方、筋付けを行わない用紙の場合は図１７の状態のまま用紙を搬送させる。この制御手順を図２２のフローチャートに示すが、このフローチャートは図２１のステップＳ１０１、Ｓ１０２及びＳ１０３の処理に相当する。すなわち、ガイド部材Ｇ２の切欠き部Ｇ２ａを封鎖する動作のみ実行することになる。
【００５３】
図１８及び図１９から分かるように、筋付け位置は搬送ローラ１および２の搬送量を制御することによって決定され、また、制御される。用紙Ｐの位置は入口センサＳＮ１の用紙先端又は用紙後端の検知タイミングをトリガとして搬送手段１，２を駆動するステッピングモータの駆動ステップに基づいて制御される。そのため、搬送手段１，２の駆動量を変更することによって、用紙Ｐに対する筋付け位置を変更することが可能であり、前述のように後端フェンス１１の移動量を変更することによって、折り位置を変更することができる。
【００５４】
前述の図３２、図３３を参照して説明したように、用紙Ｐの所望の折り位置（以下、「狙いの位置」と称する。）Ｆ１、クリース位置Ｆ２及び実際の折り位置Ｆ３がずれると、折りずれＦＸが生じる。また、折りずれＦＸが生じないように調整することの手間については、前述した通りである。
【００５５】
そこで、本実施形態では、筋付け位置の変更（クリース位置調整）及び折り位置の変更（折り位置調整）を操作パネル２０からの作業者入力で実行できるようにした。図２３は操作パネル２０のクリース位置調整画面を、図２４は折り位置調整画面をそれぞれ示す。
【００５６】
図２３において、操作パネル２０に表示されるクリース位置調整画面３０には、「調整番号  ｘｘ−ｘｘｘｘ」と「クリース位置調整」との表示が行われ、中央部に入力ボックス３１が表示される。また、この例では、入力ボックス３１の下に初期値「０」と、調整値「−２．０〜＋２．０ｍｍ」の表示がされている。ここでは、入力ボックス３１に「−０．５」という値が入力ボックス３１に入力された状態が示されている。
【００５７】
図２４の折り位置調整画面４０には、「調整番号  ｘｘ−ｘｘｘｘ」と「折り位置調整」との表示が行われ、中央部に入力ボックス４１が表示される。また、この例では、入力ボックス３４の下にクリース位置調整表示画面３０と同様に初期値「０」と、調整値「−２．０〜＋２．０ｍｍ」の表示がされている。ここでは、入力ボックス３１に「＋１．０」という値が入力された状態が示されている。
【００５８】
すなわち、両画面では、初期値に対してクリース位置調整が「−０．５ｍｍ」、折り位置調整が「＋１．０ｍｍ」であることを示している。このような入力の後、図示しないエンターキーを押下すると、入力した調整値に応じて、筋付け位置及び折り位置が変更される。が行なわれる。
【００５９】
すなわち、図３２に示したずれ状態から、ずれ量に応じて筋付け位置の変更（クリース位置調整）及び折り位置の変更（折り位置調整）を操作パネル２０から入力することにより、狙いの位置Ｆ１、折り位置Ｆ３及び筋付け位置Ｆ２を図２５及び図２６に示すように合わせることができる。なお、図２５は、狙いの位置Ｆ１、折り位置Ｆ３及び筋付け位置Ｆ２が合った状態を示す図、図２６は、図２５の状態から折り込んだときの状態を示す図である。
【００６０】
クリース位置調整値及び折り位置調整値は、１枚目の用紙に筋を付け、さらに折り位置で折った用紙を広げて、用紙の中心である狙いの位置Ｆ１との間のずれを測定し、その測定値を入力し、この測定値に基づいて調整する。
【００６１】
なお、ずれの発生する原因はいくつかあるが、大きく分けると
１）用紙検出センサ、筋付け機構、折り機構、等の取り付け位置のばらつき
２）元々の用紙サイズのばらつき、用紙伸縮によるサイズばらつき（特に搬送方向長さ）の２つに分けられる。上記１）は、機械毎に一定のずれが発生するので、一度調整を行えばその後ずれることはない。２）については、使用する用紙や環境によって変化するものである。
【００６２】
用紙サイズのばらつきによって変化するのは、用紙Ｐの狙いの位置（中心）Ｆ１である。用紙Ｐの長手方向サイズが変われば、中心位置も変わってくるからである。
【００６３】
一方、本実施形態では、筋付け位置Ｆ２は用紙後端を入口センサＳＮ１で検出して停止位置を決定するので、用紙Ｐの中心位置が変わっても、用紙後端からの筋付け位置Ｆ２は変わらない。また、折り位置Ｆ３は後端フェンス１１移動量で決まるので、用紙Ｐの中心位置が変わっても、用紙後端からの折り位置Ｆ３は変わらない。すなわち、用紙サイズが変化すると、狙いの位置（中心位置）Ｆ１が変わるので、折り位置Ｆ３及び筋付け位置Ｆ２と、狙いの位置Ｆ１がずれてくる。しかし、折り位置Ｆ３と筋付け位置Ｆ２の関係は用紙後端からの位置であるため、ずれることはない。
【００６４】
従って、一度折り位置Ｆ３と折筋付け位置Ｆ２の調整を行った後は、折り位置Ｆ３と折筋付け位置Ｆ２の関係は、ずれが発生しにくい。しかし、狙いの位置Ｆ１は用紙サイズによってずれが発生する。図２７は折り位置Ｆ３と筋付け位置（クリース位置）Ｆ２は一致しているが、狙いの位置Ｆ１からはずれている場合の折り込む前の状態を示す図で、図２８は図２７のずれ状態から折り込んだ状態を示す図である。この状態で折り込むと、図２８に示すように用紙端部ＦＬ，ＦＲが重ならず、折りずれＦＸが生じていることが分かる。
【００６５】
そこで、まず折り位置Ｆ３の調整を行うと、図２９に示すように折り位置Ｆ３と狙いの位置Ｆ１が一致し、図３０のように折ることができる。そこで、折り位置Ｆ３を調整し、その後、筋付け位置Ｆ２の調整を行うと、図２５及び図２６に示したようなずれのない状態になる。
【００６６】
このように狙いの位置Ｆ１での折り込んだときにずれが生じるようであれば、折り位置Ｆ３の調整と筋付け位置Ｆ２の調整をそれぞれ行う必要があり、調整する作業者にとって煩わしい。
【００６７】
そこで、本実施形態では、折り位置Ｆ３を変更したときは、折り位置Ｆ３の変更に同期して筋付け位置Ｆ２が変更されるような機能を備えた構成とした。すなわち、筋付け位置Ｆ２は折り位置Ｆ３を変更するだけで同期して変更される。従って、図２７、図２８の状態から折り位置の調整を行うだけで、図２５、図２６のずれのない状態になる。
【００６８】
このように、折り位置Ｆ３の変更に同期して筋付け位置Ｆ２が変更されるようにする機能を備えた場合、この機能を使用するか否を作業者あるいはユーザが選択できるようにする。すなわち、折り位置Ｆ３を変更した時に、折り位置Ｆ３の変更に同期して筋付け位置Ｆ２の変更も行うかどうかをモード切り替えで設定可能とすれば、幅広い使用者要望に対応することができる。
【００６９】
そこで、本実施形態では、折り位置Ｆ３調整時に、図３１に示すように筋付け位置Ｆ２の変更を同期して行うか否かを操作パネル２０の選択画面５０に表示し、この選択画面から同期して変更するかどうかを「はい」選択キー５２あるいは「いいえ」選択キー５３からの選択動作によって設定する。
【００７０】
これにより、筋付け位置Ｆ２の変更を折り位置Ｆ３に変更同期して行う場合には、「はい」を選択し、筋付け位置Ｆ２の変更と折り位置Ｆ３の変更を個別に行う場合には、「いいえ」を選択すればよい。
【００７１】
なお、本実施形態では、作業者の入力デバイスとして画像形成装置ＰＲの操作パネル２０を使用しているが、折り処理装置Ｂに操作パネル１５を設け、この操作パネル１５から入力するように構成することもできる。その他、複数の後処理機器が用紙の搬送方向に沿って直線上に連結され、これらの各機器が１つのシステムとして構成されている画像形成システムに設けられた操作パネルであれば、図２３、図２４、及び図３１に示したように構成して折り位置Ｆ３、筋付け位置Ｆ２及び狙いの位置Ｆ１を一致させるように制御することは容易である。
【００７２】
以上のように本実施形態によれば、折り位置Ｆ３の調整に同期して、折り位置Ｆ３の調整と筋付け（クリース）位置Ｆ２の調整を同時に行えるので、筋付け位置Ｆ２と折り位置Ｆ３の調整を少ない操作で簡単に行うことができる。
【００７３】
なお、本発明は本実施形態に限定されるものではなく種々の変形が可能であり、特許請求の範囲に記載された技術思想に含まれる技術的事項の全てが本発明の対象となる。
【符号の説明】
【００７４】
１  搬送ローラ１
１１  後端フェンス
１５，２０  操作パネル
３０  クリース位置調整画面
４０  折り位置調整画面
５０  選択画面
Ａ  筋付け装置
Ａ１  ＣＰＵ
Ａ３，Ａ４  通信インターフェイス
Ｂ  折り処理装置
Ｃ  筋付け機構
Ｄ  折り機構
ＰＲ  画像形成装置
【先行技術文献】
【特許文献】
【００７５】
【特許文献１】特開２００８−８１２５８号公報
【図１】
2012012220.tif 000003
【図２】
2012012220.tif 000004
【図３】
2012012220.tif 000005
【図４】
2012012220.tif 000006
【図５】
2012012220.tif 000007
【図６】
2012012220.tif 000008
【図７】
2012012220.tif 000009
【図８】
2012012220.tif 000010
【図９】
2012012220.tif 000011
【図１０】
2012012220.tif 000012
【図１１】
2012012220.tif 000013
【図１２】
2012012220.tif 000014
【図１３】
2012012220.tif 000015
【図１４】
2012012220.tif 000016
【図１５】
2012012220.tif 000017
【図１６】
2012012220.tif 000018
【図１７】
2012012220.tif 000019
【図１８】
2012012220.tif 000020
【図１９】
2012012220.tif 000021
【図２０】
2012012220.tif 000022
【図２１】
2012012220.tif 000023
【図２２】
2012012220.tif 000024
【図２３】
2012012220.tif 000025
【図２４】
2012012220.tif 000026
【図２５】
2012012220.tif 000027
【図２６】
2012012220.tif 000028
【図２７】
2012012220.tif 000029
【図２８】
2012012220.tif 000030
【図２９】
2012012220.tif 000031
【図３０】
2012012220.tif 000032
【図３１】
2012012220.tif 000033
【図３２】
2012012220.tif 000034
【図３３】
2012012220.tif 000035
【手続補正書】
【提出日】平成23年6月2日(2011.6.2)
【手続補正１】
【補正対象書類名】明細書
【補正対象項目名】００４０
【補正方法】変更
【補正の内容】
【００４０】
図１３及び図１４は筋付け機構の概略構成を示す図である。同図において、筋付け機構Ｃの筋付け部材６は部材Ｃ９と筋付け刃Ｃ１０から構成され、部材Ｃ９と筋付け刃Ｃ１０は一体となって駆動モータＣ１によって回転駆動される。また、部材Ｃ９、筋付け刃Ｃ１０、駆動モータＣ５、及び摺動部材Ｃ７は一体となって弾性材Ｃ５によって上方に弾性付勢され、部材Ｃ９の上面でカムＣ４と摺接している。カムＣ４は一対設けられ、駆動モータＣ１の駆動が減速伝達機構Ｃ２及び伝達機構Ｃ３によって伝達され、回転する。このカムＣ４は偏芯カムであり、両者が同期して回転することにより部材Ｃ９と一体に筋付け刃Ｃ１０を上下方向に駆動する。
【手続補正２】
【補正対象書類名】明細書
【補正対象項目名】００４３
【補正方法】変更
【補正の内容】
【００４３】
しかし、用紙搬送方向下流側に位置する上側のガイド部材Ｇ２の前記切欠き部Ｇ２ａ
側の端部Ｇ２ｂは搬送されてくる用紙Ｐの先端と対向することになり、搬送されてくる用
紙先端Ｐａが引っかかる場合ある。そこで、本実施形態では図１７に示すように、用紙先
端Ｐａが通過するまで部材Ｃ９を図１６の位置から矢印Ｙ１方向に下降させ、部材Ｃ９の一部でガイド部材Ｇ２の切欠き部Ｇ２ａを塞ぐ。そして、図１８に示すように用紙先端Ｐａが切欠き部Ｇ２ａを通過した後に部材Ｃ９と筋付け刃Ｃ１０を共に一旦上方に退避させ（矢印Ｙ２方向）、さらに回転させて（矢印Ｒ１方向）筋付け刃Ｃ１０を用紙に向ける。次いで、図１９に示すように用紙Ｐが所定の位置（筋付け位置）に来たところで筋付け刃Ｃ１０が下方を向いた状態で部材Ｃ９を下降させ（矢印Ｙ３方向）、筋付け刃Ｃ１０と受け台Ｃ１１で用紙Ｐを挟んで筋を付ける。
【手続補正３】
【補正対象書類名】明細書
【補正対象項目名】００４８
【補正方法】変更
【補正の内容】
【００４８】
同図において、用紙受け入れ準備が完了すると（ステップＳ１０１）、部材Ｃ９を図１６に示すホームポジション、すなわち、筋付け処理を行わない位置に退避させる（ステップＳ１０２）。この位置は、筋付け刃Ｃ１０が用紙側（ガイド部材Ｇ２側）に向いていない位置である。
【手続補正４】
【補正対象書類名】明細書
【補正対象項目名】００４９
【補正方法】変更
【補正の内容】
【００４９】
次いで、カムＣ４を回転させ、部材Ｃ９を図１６の状態から矢印Ｙ１方向に下降させる（ステップＳ１０３：図１７）。このとき、筋付け刃Ｃ１０、駆動モータＣ５及び摺動部材Ｃ７も前述のように一体に下降する。これにより、切欠き部Ｇ２ａが部材Ｃ９でガードされる。
【手続補正５】
【補正対象書類名】明細書
【補正対象項目名】００５０
【補正方法】変更
【補正の内容】
【００５０】
図１７の状態で用紙Ｐの先端が切欠き部Ｇ２ａを通過するのを待ち、用紙先端が通過した時点で（ステップＳ１０４−ＹＥＳ）、用紙先端がガイド部材Ｇ２の先端部Ｇ２ｂと干渉する虞がなくなるので、部材Ｃ９を待機（退避）位置に移動させる（ステップＳ１０５）。この移動は、カム４の回転により筋付け刃Ｃ１０を含む部材Ｃ９、駆動モータＣ５及び摺動部材Ｃ７一体として行われる。そして、用紙Ｐが筋付け処理位置に達すると、部材Ｃ９を回転させ、筋付け刃Ｃ１０を筋付け位置に位置させ（ステップＳ１０６：図１８）、カムＣ４を回転させて筋付け刃Ｃ１０を含む部材Ｃ９、駆動モータＣ５及び摺動部材Ｃ７を一体として下降させる（ステップＳ１０７：図１９）。
【手続補正６】
【補正対象書類名】明細書
【補正対象項目名】００５１
【補正方法】変更
【補正の内容】
【００５１】
これにより筋が付けられるので、カムＣ４を駆動し、部材Ｃ９を上昇させ、待機（退避）位置に移動させる（ステップＳ１０８）。これにより、筋付け刃Ｃ１０との干渉がなくなるので、用紙Ｐを搬出し、次用紙Ｐを受け入れることができる。
【手続補正７】
【補正対象書類名】図面
【補正対象項目名】図１３
【補正方法】変更
【補正の内容】
【図１３】
2012012220.tif 000036
【手続補正８】
【補正対象書類名】図面
【補正対象項目名】図１４
【補正方法】変更
【補正の内容】
【図１４】
2012012220.tif 000037